(57)【要約】【課題】例えば、内部に収納された薬剤に液体を混合する際に、これらを容易かつ短時間で均質化（均一化）することができる薬剤収納容器、およびかかる薬剤収納容器を簡便に製造し得る薬剤収納容器の製造方法を提供すること。【解決手段】薬剤収納容器１は、液体を注入および／または吸引して使用するものであり、先端に先端側開口２１と基端に基端側開口２２とを備える筒状の容器本体２と、先端に開口３１１を備え、開口３１１が容器本体２の先端側開口２１と対面するように、容器本体２内に液密に設けられた薬剤収納部３と、薬剤収納部３に収納された薬剤５とを有し、容器本体２と薬剤収納部３とで画成される空間２０の容積が変化するよう構成されている。具体的には、薬剤収納部３は、容器本体２に対して摺動可能に設けられ、薬剤収納部３が容器本体２の軸方向に沿って移動することにより、空間２０の容積が変化するよう構成されている。【選択図】図１
2007215775.tif 000002
【特許請求の範囲】
【請求項１】
液体を注入および／または吸引して使用する薬剤収納容器であって、
先端に先端側開口と基端に基端側開口とを備える筒状の容器本体と、
先端に開口を備え、該開口が前記容器本体の先端側開口と対面するように、前記容器本体内に液密に設けられた薬剤収納部と、
該薬剤収納部に収納された薬剤とを有し、
前記容器本体と前記薬剤収納部とで画成される空間の容積が変化するよう構成されていることを特徴とする薬剤収納容器。
【請求項２】
前記薬剤収納部は、前記容器本体に対して摺動可能に設けられ、
前記薬剤収納部が前記容器本体の軸方向に沿って移動することにより、前記空間の容積が変化するよう構成されている請求項１に記載の薬剤収納容器。
【請求項３】
前記薬剤収納部は、有底筒状の収納部本体と、該収納部本体の外周部に設けられ、前記容器本体の内周面に密着する環状のガスケットとを備える請求項２に記載の薬剤収納容器。
【請求項４】
前記薬剤収納部は、伸縮自在な部分を備え、前記容器本体に固定されており、
前記薬剤収納部が伸縮することにより、前記空間の容積が変化するよう構成されている請求項１ないし３のいずれかに記載の薬剤収納容器。
【請求項５】
前記空間の容積が最小の状態において、前記薬剤収納部は、そのほぼ全体が前記容器本体内に収納されている請求項１ないし４のいずれかに記載の薬剤収納容器。
【請求項６】
前記空間の容積の増大に伴って、前記薬剤収納部が前記容器本体の基端側開口から突出するよう構成されている請求項１ないし５のいずれかに記載の薬剤収納容器。
【請求項７】
当該薬剤収納容器に前記液体を導く導液具を接続可能な接続部を有する請求項１ないし６のいずれかに記載の薬剤収納容器。
【請求項８】
前記薬剤は、乾燥状態のものである請求項１ないし７のいずれかに記載の薬剤収納容器。
【請求項９】
先端に先端側開口と基端に基端側開口とを備える筒状の容器本体と、
先端に開口を備え、該開口が前記容器本体の先端側開口と対面するように、前記容器本体内に液密に設けられた薬剤収納部と、
該薬剤収納部に収納された乾燥状態の薬剤とを有し、
前記容器本体と前記薬剤収納部とで画成される空間の容積が変化するよう構成された薬剤収納容器を製造する方法であって、
前記薬剤収納部内に、前記薬剤を含む液状組成物を収納する第１の工程と、
前記液状組成物を乾燥する第２の工程と、
前記容器本体内に、乾燥状態の前記薬剤を収納した前記薬剤収納部を配置する第３の工程とを有することを特徴とする薬剤収納容器の製造方法。
【請求項１０】
前記第２の工程において、前記液状組成物の乾燥は、凍結乾燥により行われる請求項９に記載の薬剤収納容器の製造方法。
【発明の詳細な説明】
【技術分野】
【０００１】
本発明は、薬剤収納容器および薬剤収納容器の製造方法に関するものである。
【背景技術】
【０００２】
通常、多くの薬剤は、ゴム栓で封止されたバイアル容器（薬剤収納容器）内に収納されている。
【０００３】
このようなバイアル容器から、例えば粉末状の薬剤を取り出す場合、溶解用液を取り分けたシリンジの先端に注射針を取り付け、注射針でバイアル容器のゴム栓を刺通して溶解用液を注入する。
【０００４】
その後、注射針をゴム栓に刺通した状態で、ポンピング操作を行ったり、注射針を取り外して容器を振盪したり等することにより、溶解用液に薬剤を均一に溶解する。そして、薬剤が溶解された溶解用液（以下、「液剤」と言う。）をシリンジ内に吸引して取り出す。
【０００５】
しかし、この一連の操作は非常に煩雑である。また、薬剤の形状、性質、溶解後の濃度等によっては、溶解が必ずしも容易ではなく、薬剤が溶解用液に完全に溶解するまでに、時間や手間がかかってしまう場合もある。
【０００６】
そこで、このような課題を解決するものとして、薬剤を収納する空間を減圧状態に保持した器具（薬剤収納容器）が提案されている（例えば、特許文献１参照。）。
【０００７】
この特許文献１に記載の器具では、減圧力を利用することにより、溶解用液を前記空間内に吸引して薬剤を溶解用液により溶解する。
【０００８】
この器具によれば、溶解用液が急速に容器内に流入するため撹拌効果が高く、薬剤を溶解用液に容易に溶解することができ、また、操作も簡易であるという利点がある。
【０００９】
しかし、この器具では、運搬や保管状況によっては、振動や熱膨張等によって器具が変形し、前記空間内に空気が流入してしまうことがある。このような状況が生じると、器具内の真空度が低下するため、器具内に目的とする量の液体を注入することができず、液剤中の薬剤の濃度を適正なものとすることができなくなる。
【００１０】
さらに、この器具では、導液初期においては、器具内の減圧度が高いため、溶解用液に薬剤を容易に溶解できるが、導液量が多くなるにつれて、器具内の減圧度が低下する。このため、溶解度の小さい薬剤や粘度が高い薬剤については、溶解液を均一にするために、別途、振盪やポンピング操作を行うことが必要となる。
【００１１】
【特許文献１】特表２００１−５０５０７２号公報
【発明の開示】
【発明が解決しようとする課題】
【００１２】
本発明の目的は、例えば、内部に収納された薬剤に液体を混合する際に、これらを容易かつ短時間で均質化（均一化）することができる薬剤収納容器、およびかかる薬剤収納容器を簡便に製造し得る薬剤収納容器の製造方法を提供することにある。
【課題を解決するための手段】
【００１３】
このような目的は、下記（１）〜（１４）の本発明により達成される。
（１）  液体を注入および／または吸引して使用する薬剤収納容器であって、
先端に先端側開口と基端に基端側開口とを備える筒状の容器本体と、
先端に開口を備え、該開口が前記容器本体の先端側開口と対面するように、前記容器本体内に液密に設けられた薬剤収納部と、
該薬剤収納部に収納された薬剤とを有し、
前記容器本体と前記薬剤収納部とで画成される空間の容積が変化するよう構成されていることを特徴とする薬剤収納容器。
【００１４】
（２）  前記薬剤収納部は、前記容器本体に対して摺動可能に設けられ、
前記薬剤収納部が前記容器本体の軸方向に沿って移動することにより、前記空間の容積が変化するよう構成されている上記（１）に記載の薬剤収納容器。
【００１５】
（３）  前記薬剤収納部は、有底筒状の収納部本体と、該収納部本体の外周部に設けられ、前記容器本体の内周面に密着する環状のガスケットとを備える上記（２）に記載の薬剤収納容器。
【００１６】
（４）  前記ガスケットは、前記収納部本体の先端部に設けられている上記（３）に記載の薬剤収納容器。
【００１７】
（５）  前記薬剤収納部が前記容器本体の基端側開口から離脱するのを防止する離脱防止手段を有する上記（２）ないし（４）のいずれかに記載の薬剤収納容器。
【００１８】
（６）  前記薬剤収納部は、伸縮自在な部分を備え、前記容器本体に固定されており、
前記薬剤収納部が伸縮することにより、前記空間の容積が変化するよう構成されている上記（１）ないし（５）のいずれかに記載の薬剤収納容器。
【００１９】
（７）  前記空間の容積が最小の状態において、前記薬剤収納部は、そのほぼ全体が前記容器本体内に収納されている上記（１）ないし（６）のいずれかに記載の薬剤収納容器。
【００２０】
（８）  前記空間の容積の増大に伴って、前記薬剤収納部が前記容器本体の基端側開口から突出するよう構成されている上記（１）ないし（７）のいずれかに記載の薬剤収納容器。
【００２１】
（９）  当該薬剤収納容器に前記液体を導く導液具を接続可能な接続部を有する上記（１）ないし（８）のいずれかに記載の薬剤収納容器。
【００２２】
（１０）  前記接続部は、前記容器本体の先端側開口を塞ぐように設けられ、先端に鋭利な針先を備える穿刺針を備える上記（９）に記載の薬剤収納容器。
【００２３】
（１１）  前記接続部は、前記容器本体の先端側開口を塞ぐように設けられ、必要時に開く開閉口を有する弾性材料で構成された弁体を備える上記（９）に記載の薬剤収納容器。
【００２４】
（１２）  前記薬剤は、乾燥状態のものである上記（１）ないし（１１）のいずれかに記載の薬剤収納容器。
【００２５】
（１３）  先端に先端側開口と基端に基端側開口とを備える筒状の容器本体と、
先端に開口を備え、該開口が前記容器本体の先端側開口と対面するように、前記容器本体内に液密に設けられた薬剤収納部と、
該薬剤収納部に収納された乾燥状態の薬剤とを有し、
前記容器本体と前記薬剤収納部とで画成される空間の容積が変化するよう構成された薬剤収納容器を製造する方法であって、
前記薬剤収納部内に、前記薬剤を含む液状組成物を収納する第１の工程と、
前記液状組成物を乾燥する第２の工程と、
前記容器本体内に、乾燥状態の前記薬剤を収納した前記薬剤収納部を配置する第３の工程とを有することを特徴とする薬剤収納容器の製造方法。
【００２６】
（１４）  前記第２の工程において、前記液状組成物の乾燥は、凍結乾燥により行われる上記（１３）に記載の薬剤収納容器の製造方法。
【発明の効果】
【００２７】
本発明によれば、薬剤を収納する空間の容積が変化するように構成したので、液体の注入や吸引を円滑に行なうことができるようになる。これにより、例えば、薬剤と液体とを容易かつ短時間で均質（均一）に混合することができる。
【００２８】
また、薬剤収納部を容器本体から分離可能（取り外し可能）にしたので、薬剤収納部への薬剤の供給が容易となり、薬剤収納容器を簡便に製造することができるようになる。
【発明を実施するための最良の形態】
【００２９】
以下、本発明の薬剤収納容器および薬剤収納容器の製造方法を添付図面に示す好適実施形態に基づいて説明する。
【００３０】
＜第１実施形態＞
まず、本発明の薬剤収納容器の第１実施形態について説明する。
【００３１】
図１は、本発明の薬剤収納容器の第１実施形態を示す縦断面図（使用前の状態を示す）、図２は、図１に示す薬剤収納容器から汚染防止手段を取り外した状態を示す（使用時の状態を示す）縦断面図、図３〜図５は、それぞれ、図１および図２に示す薬剤収納容器の使用方法を説明するための図（縦断面図）、図６〜図８は、それぞれ、図１および図２に示す薬剤収納容器の製造方法を説明するための図（縦断面図）である。
【００３２】
なお、以下では、便宜上、図１、図２および図６〜図８中の上側を「先端」、下側を「基端」として説明する。また、図３〜図５では、図１、図２および図６〜図８中において、先端に対応する側を「先端」、基端に対応する側を「基端」として説明する。
【００３３】
図１および図２に示す薬剤収納容器１は、容器本体２と、容器本体２内に設けられた薬剤収納部３と、容器本体２の先端部に設けられた接続部４と、薬剤収納部３内に収納された薬剤５とを有している。
【００３４】
この薬剤収納容器１では、例えば溶解用液、希釈用液や薬液等の液体を、内部に注入して、薬剤５と液体とを混合する操作等が行われる。
【００３５】
また、図１に示すように、薬剤収納容器１は、使用前（保管時）の状態で、汚染防止手段７により容器本体２内の無菌・滅菌状態および清浄度が保持されている。
【００３６】
以下、各部の構成について順次説明する。
容器本体２は、円筒状をなし、その先端側に先端側開口２１および基端側に基端側開口２２がそれぞれ形成されている。
【００３７】
この容器本体２は、その先端部に、胴部より縮径した縮径部２３を有している。この縮径部２３の先端において先端側開口２１が開口している。
【００３８】
また、縮径部２３は、その内径が先端に向かって漸減する形状（テーパ状）をなしている。これにより、後述するように、薬剤収納容器１内から液体を吸引する際には、その吸引操作をより円滑に行うことができる。
【００３９】
容器本体２の基端には、その外周に沿って円環状（リング状）の凸部２４が突出して形成されている。この凸部２４は、後述するキャップ状部材６の溝６１に係合し、キャップ状部材６が容器本体２に固定される。
【００４０】
容器本体２および後述する収納部本体３１は、それぞれ、実質的に透明（無色透明、着色透明、半透明）であるのが好ましい。これにより、薬剤収納容器１内に収納された薬剤５の状態を外部から目視で確認することができる。
【００４１】
容器本体２内には、薬剤収納部３が液密（気密的）に設けられている。この薬剤収納部３内に、例えば、粉末状、液体状等の薬剤５が収納される。
【００４２】
図１に示すように、薬剤収納部３は、先端に開口（収納部側開口）３１１を備えて（形成されて）おり、この開口３１１が容器本体２の先端側開口２１と対面するように設けられている。これにより、先端側開口２１から注入された液体は、開口３１１を介して薬剤収納部３内に流入し、一方、薬剤収納部３内の液体は、開口３１１を介して先端側開口２１から吸引される。
【００４３】
本実施形態では、薬剤収納部３は、前記開口３１１を備える有底円筒状の収納部本体３１と、収納部本体３１の外周部に設けられ、容器本体２の内周面に液密に密着する環状のガスケット３２とで構成され、収納部本体３１の軸と容器本体２の軸とがほぼ一致するように配置されている。
【００４４】
このような構成により、薬剤収納部３は、容器本体２に対して液密に摺動可能となっている。そして、薬剤収納部３が容器本体２の軸方向に沿って移動することにより、容器本体２と薬剤収納部３とで画成される空間２０の容積が変化するよう構成されている。
【００４５】
収納部本体３１の先端部には、その外周部に、一対の環状の凸部３１２が軸方向に所定間隔おいて形成されている。一方、ガスケット３２の内周部には、凸部３１２に対応する溝３２１が形成されている。凸部３１２が溝３２１に挿入され、これにより、収納部本体３１の先端部にガスケット３２が嵌合により固定されている。
【００４６】
収納部本体３１の先端部にガスケット３２を設ける構成とすることにより、薬剤収納部３が容器本体２に対して最も先端側に位置した状態（空間２０の容積が最小となった状態）で、先端側開口２１と開口３１１とを近接させることができる。これにより、液体を薬剤収納部３内に円滑に導入することができる。また、薬剤収納部３が容器本体２に対して最も基端側に位置した状態（空間２０の容積が最大となった状態）で、空間２０の容積を十分確保することができる。
【００４７】
また、ガスケット３２の外周部には、複数（図１では、２個）のリング状の凸部３２２が軸方向に所定間隔おいて形成されている。この凸部３２２が容器本体２の内周面に対し密着しつつ摺動することで、液密性をより確実に保持するとともに、摺動性の向上を図ることができる。
【００４８】
本実施形態のガスケット３２は、その全体が弾性材料で構成され、容器本体２内を摺動する際の液密（気密）性が確保されている。
【００４９】
このような弾性材料としては、特に限定されないが、例えば、天然ゴム、イソプレンゴム、ブタジエンゴム、ブチルゴム等の各種ゴムや、各種熱可塑性エラストマー等が挙げられ、これらのうちの１種または２種以上を組み合わせて用いることができる。
【００５０】
なお、ガスケット３２は、少なくとも容器本体２の内周面と接触（密着）する部分が弾性材料で構成されていればよく、本実施形態のように全体が弾性材料で構成されたものの他、例えば、硬質の芯部と、この芯部の表面を被覆し、弾性材料で構成される被覆層とを有する構成とすることもできる。
【００５１】
このように、薬剤収納部３を容器本体２内において、液密に摺動可能に設けることにより、従来のバイアル容器で必要な、液体の注入や吸引の際に、内部圧力を調整するためのエアー抜きやエアー入れの操作を不要とすることができる。これにより、液体の注入や吸引の際の操作がより容易となる。
【００５２】
容器本体２内（空間２０内）に、例えば溶解用液等の液体を注入すると、薬剤収納部３は、基端方向に向かって移動する。一方、薬剤５が溶解した後の溶解用液（液剤）を空間２０内から吸引するとき、薬剤収納部３が先端方向に向かって移動する。これにより、空間２０の内部圧力が外気圧と等しくなるように維持される。
【００５３】
このガスケット３２と容器本体２との間の摺動抵抗は、液密（気密）性が維持される範囲で小さいほどよく、特に限定されないが、４００ｇｆ以下であることが好ましく、５０〜２００ｇｆ程度であるのがより好ましい。摺動抵抗が大き過ぎると、例えばシリンジ等の導液具を用いて空間２０内へ液体を注入する際や、内部の液体を吸引する際に、薬剤収納部３が円滑に追従して移動せず、使い勝手が低下するおそれがある。
【００５４】
なお、ガスケット３２と容器本体２との間の摺動抵抗は、例えばシリコーンオイル等の潤滑剤をガスケット３２の表面に付与（塗布）することにより低下させるようにしてもよい。
【００５５】
また、薬剤収納部３は、空間２０の容積が最小の状態、すなわち、薬剤収納容器１の使用前の状態（図１および図２に示す状態）や、空間２０内から液体を吸引した後の状態において、そのほぼ全体が容器本体２内に収納されるよう構成されている。これにより、保管時に薬剤収納部３が容器本体２から突出せず、保管がし易くなる。
【００５６】
一方、空間２０の容積の増大（薬剤収納部３の基端方向への移動）に伴って、薬剤収納部２０が容器本体２の基端側開口２２から突出するよう構成されている。これにより、薬剤収納容器１の全体のサイズが大きくなるのを防止しつつ、薬剤収納部３が容器本体２の最も基端側に位置した際の空間２０の容積を十分に確保することができる。
【００５７】
容器本体２の先端部には、接続部４が設けられている。この接続部４の内側には、液体を薬剤収納容器１の内部に液体を注入および／または吸引する際に、液体を導く導液具（例えば、先端に封止栓を有するシリンジ等）の口部（先端部）が挿入・固定される。これにより、薬剤収納容器１の先端部に導液具が接続される。
【００５８】
接続部４は、容器本体２の先端部に設けられた固定部４１と、固定部４１の外周側に固定された連結部材４２と、これらの内側に設けられた穿刺針４３とで構成されている。
【００５９】
固定部４１は、円筒状をなし、前述した縮径部２３と同心的に、かつ容器本体２と一体的に形成されている。
【００６０】
固定部４１は、連結部材４２の基端側に挿入・嵌合され、これにより、連結部材４２が容器本体２に固定されている。
【００６１】
連結部材４２は、円筒状をなし、その先端側の部分には、導液具の口部が挿入・嵌合される。なお、連結部材４２の内周面には、微小な凹凸を形成するようにしてもよい。これにより、導液具の口部に対する嵌合力（固定力）を増大することができる。
【００６２】
また、固定部４１および連結部材４２の内側には穿刺針４３が設けられている。この穿刺針４３は、連結部材４２の内側に、導液具の口部を挿入した際に、口部の先端開口を液密に封止する封止栓（または封止膜）を刺通する。
【００６３】
穿刺針４３は、先端に鋭利な針先を備える針体４３１と、針体４３１の基端部に固定されたハブ４３２と、ハブ４３２の先端に固定され、使用前の状態で針体４３１を被包する被包部材４３３とで構成されている。
【００６４】
針体４３１は、例えば、ステンレス鋼のような金属材料、ポリプロピレン、ポリエチレン、ポリカーボネート、環状ポリオレフィン、ポリエチレンテレフタレート、ポリエチレンテレナフタレートのような各種硬質の樹脂材料で構成することができる。なお、針体４３１を樹脂材料で構成する場合には、針体４３１とハブ４３２とを一体で形成することもできる。また、被包部材４３３は、例えば、前述したような弾性材料で構成することができる。
【００６５】
この穿刺針４３は、ハブ４３２が縮径部２３に融着により固定され、容器本体２の先端側開口２１を塞ぐように設けられている。
【００６６】
一方、容器本体２の基端には、キャップ状部材６が装着（固定）されている。
このキャップ状部材６の内周面には、円環状の溝６１が形成されており、この溝６１に容器本体２の基端に形成された凸部２４が係合（嵌合）し、これにより、キャップ状部材６が容器本体２の基端に固定されている。
【００６７】
このキャップ状部材６の中央部には、収納部本体３１の外径より若干大きく、かつガスケット３２の外径より十分に小さい開口部６２が形成されている。
【００６８】
このような構成により、薬剤収納部３が基端方向に移動するとき、収納部本体３１が開口部６２を通過する。また、薬剤収納部３が最も基端側に移動すると、ガスケット３２とキャップ状部材６とが当接し、薬剤収納部３が容器本体２から離脱するのを防止することができる。すなわち、このキャップ状部材６が、薬剤収納部３が容器本体２の基端開口２２からの離脱を防止する離脱防止手段を構成する。
【００６９】
このような薬剤収納容器１は、使用前まで、汚染防止手段（無菌性保持手段）７により、容器本体２内の無菌・滅菌および清浄度が保持されている。
【００７０】
図１に示すように、本実施形態の汚染防止手段７は、容器本体２の先端側（接続部４）に着脱自在に設けられ、接続部４の先端を気密的に封止する第１のシート材７１と、キャップ状部材６の基端に着脱自在に設けられ、開口部６２を気密的に封止する第２のシート材７２とで構成されている。
【００７１】
第１のシート材７１および第２のシート材７２は、いずれも平板状の部材で構成され、それぞれ、接続部４およびキャップ状部材６に対して、例えば、融着（熱融着、高周波融着、超音波融着）、接着剤による接着等により固定されている。
【００７２】
このような第１のシート材７１、第２のシート材７２、前述の容器本体２、収納部本体３１、連結部材４２、穿刺針４３のハブ４３２、被包部材４３３等は、それぞれ、ガスバリア性を有するのが好ましく、その構成材料としては、例えば、ポリエチレン、ポリプロピレン、環状ポリエチレン等のポリオレフィン、ポリエチレンテレフタレート、ポリエチレンテレナフタレート等のポリエステル、ポリメチルメタクリレート、塩化ビニル樹脂、ポリビニルアルコール等のビニル系樹脂や、その他の熱可塑性樹脂のような樹脂材料、アルミニウムのような金属材料等が挙げられ、これらのうちの１種または２種以上を組み合わせて用いることができる。
【００７３】
また、第１のシート材７１および第２のシート材７２としては、それぞれ、前記材料（金属材料は除く）やエラストマーで構成された単層フィルムの他、例えば、単層フィルムにアルミニウム、シリカ等を蒸着したもの、アルミニウムフィルム、アルミニウムラミネートフィルム等の金属箔または金属箔を含むフィルムを使用することができる。さらには、これら各フィルムを２層以上積層したものを用いることもできる。
【００７４】
なお、第１のシート材７１と第２のシート材７２とは、連結部（連結シート材）で連結された１枚のシート材で構成されていてもよい。
【００７５】
次に、薬剤収納容器１の使用方法について、図２〜図５を参照しつつ、薬剤５を溶解用液１０４を用いて溶解または分散（懸濁）する場合を一例に説明する。
【００７６】
［１］  まず、薬剤収納容器１から第１のシート材７１および第２のシート材７２を取り外す（除去する）。これにより、図２に示すように、接続部４に、例えば次に説明するシリンジ１０の口部１００が接続可能な状態になる。
【００７７】
［２］  次に、溶解用液１０４を収納したシリンジ（導液具）１０を用意する（図３参照。）。
【００７８】
このシリンジ１０は、先端部に口部１００を有するシリンジ外筒１０１と、シリンジ外筒１０１内に摺動可能に設けられたガスケット１０２と、ガスケット１０２を移動操作する押し子１０３とを有し、シリンジ外筒１０１とガスケット１０２とで画成される空間内に、溶解用液１０４が収納されている。
【００７９】
また、口部１００の先端には、開口部１１０が形成されており、この開口部１１０が封止栓（または封止膜）１２０で液密に封止されている。
【００８０】
［３］  次に、図３に示すように、このシリンジ１０の口部１００を、接続部４の内側に挿入して、奥まで押し込む。これにより、図３に示すように、穿刺針４３の被包部材４３３を突き破って針体４３１が突出するとともに、この針体４３１が封止栓１２０を刺通する。これにより、シリンジ外筒１０１内と薬剤収納容器１内の空間２０内とが連通する。
【００８１】
また、このとき、口部１００が連結部材４２に嵌合し、シリンジ１０と薬剤収納容器１とが接続される。
【００８２】
［４］  次に、前記［３］の状態で、シリンジ１０の押し子１０３を、口部１００側に移動させる。これにより、図４に示すように、シリンジ１０の口部１００から溶解用液１０４が排出され、針体４３１の内腔部および先端側開口２１を介して空間２０内に注入される。
【００８３】
空間２０内に溶解用液１０４を注入するのに伴って、空間２０の圧力が増大すると、薬剤収納部３は、基端方向に向かって徐々に移動する。これにより、空間２０の内部圧力が外気圧と等しくなるように維持され、溶解用液１０４を空間２０内に、大きな抵抗力を感じることなく注入することができる。
【００８４】
また、このとき、空間２０の容積が増大するのに伴って、薬剤収納部３は、容器本体２の基端側開口２２から突出する。
【００８５】
［５］  次に、シリンジ１０の押し子１０３を往復移動させることにより、ポンピング操作を行う。これにより、溶解用液１０４と薬剤５とが均一に溶解または分散される。
【００８６】
なお、このポンピング操作に際しても、薬剤収納部３が先端方向または基端方向に向かって往復移動し、空間２０の内部圧力が外気圧と等しくなるように維持されるので、ポンピング操作を容易かつ確実に行うことができる。
【００８７】
［６］  次に、図５に示すように、シリンジ１０の押し子１０３を、口部１００と反対側に向かって移動させる。これにより、液剤１０５（薬剤５が溶解または分散された溶解用液１０４）を、シリンジ外筒１０１内に吸引した後、シリンジ１０の口部１００を接続部４から離間（離脱）させる。
【００８８】
ここで、空間２０内から液剤１０５を吸引すると、薬剤収納部３が、先端方向に向かって移動する。これにより、空間２０の内部圧力が外気圧と等しくなるように維持されるので、液剤１０５を空間２０内から、大きな抵抗力を感じることなく取り出す（吸引する）ことができる。
【００８９】
以上のように、この薬剤収納容器１では、液体の注入または吸引に伴って薬剤収納部３が基端側または先端側に向かって移動することにより、空間２０の内部圧力が外気圧と等しくなるように維持される。
【００９０】
したがって、従来のバイアル容器で必要な、液体の注入や吸引の際に、内部圧力を調整するためのエアー抜きやエアー入れの操作を不要とすることができる。これにより、液体の注入や吸引の際の操作がより容易となる。
【００９１】
このようなことから、薬剤収納容器１は、例えば、抗がん剤、免疫抑制剤等、医療従事者が誤って触れると危険な薬剤や、抗生剤、止血剤等の使用にあたって溶解が必要な薬剤、小児用の薬剤等の希釈が必要な薬剤等の薬剤５を収納する容器への適用が好適である。
【００９２】
また、容器本体２の先端側開口２１を、前述したような穿刺針４３で塞いでおくので、液体の注入や吸引に際して、注射針等の導液針や導液用の専用デバイスを別途用意する必要がなく、空間２０内への液体の注入や吸引の操作を確実に行うことができる。
【００９３】
また、別途、注射針等の導液針を用意する必要がないため、針刺し事故の危険性を回避することができる。
このような薬剤収納容器１は、例えば、次のようにして製造することができる。
【００９４】
以下では、乾燥状態の薬剤５が収納された薬剤収納容器１を製造する場合（本発明の薬剤収納容器の製造方法）について説明する。
なお、以下の各工程は、例えば、アイソレータ内等の無菌環境下で行われる。
【００９５】
［Ａ］  まず、図６（ａ）に示すように、薬剤収納部３の収納部本体３１内に、薬剤５を含む液状組成物５０を無菌的に供給する（第１の工程）。
【００９６】
［Ｂ］  次に、図６（ｂ）に示すように、液状組成物を乾燥させる（第２の工程）。
この乾燥には、例えば、凍結乾燥、自然乾燥、加熱乾燥、減圧乾燥等が挙げられ、これらのうちの１種または２種以上を組み合わせて用いることができる。
【００９７】
これらの中でも、乾燥には、特に、凍結乾燥を用いるのが好ましい。凍結乾燥を用いることにより、薬剤５の種類によらず確実に乾燥することができ、また、薬剤５が例えば活性を有するタンパク質である場合、活性を維持した状態での乾燥が可能となる。
【００９８】
ここで、凍結乾燥では、乾燥に供する液状組成物を収納した容器を、ステージ（棚板）上に載置した状態で、ステージを冷却することが行われる。したがって、液状組成物を効率よく凍結乾燥させるためには、液状組成物ができるだけ、ステージに接近していることが好ましい。本発明の薬剤収納容器１では、容器本体２と薬剤収納部３とが分離可能（取り外し可能）であり、図６（ｂ）に示すように、乾燥に供する液状組成物５０を収納した薬剤収納部３を直接ステージ９００上に配置可能であるため、液状組成物５０の確実かつ効率のよい乾燥が可能となる。その結果、薬剤収納容器１を簡便に製造することができるようになる。
【００９９】
このようなことから、本発明は、特に、乾燥状態の薬剤５を収納する薬剤収納容器１へ好適に適用される。
【０１００】
［Ｃ］  次に、図７（ｃ）に示すように、薬剤収納部３を先端側から容器本体２内に挿入して配置する（第３の工程）。
【０１０１】
［Ｄ］  次に、図７（ｄ）に示すように、容器本体２の縮径部２３に、ハブ４３２を融着する。これにより、穿刺針４３を容器本体２に固定する。
また、容器本体２の基端部に、キャップ状部材６を嵌合により固定する。
【０１０２】
［Ｅ］  次に、図８（ｅ）に示すように、容器本体２の固定部４１の外側に、連結部材４２を嵌合により固定する。これにより、接続部４が得られる。
【０１０３】
［Ｆ］  次に、図８（ｆ）に示すように、接続部４の先端およびキャップ状部材６の開口部６２を、それぞれ塞ぐように第１のシート材７１および第２のシート材７２を装着する。
以上の工程を経て、薬剤収納容器１が得られる。
【０１０４】
＜第２実施形態＞
次に、本発明の薬剤収納容器の第２実施形態について説明する。
【０１０５】
図９は、本発明の薬剤収納容器の第２実施形態の縦断面図である。
なお、以下では、便宜上、図９中の上側を「先端」、下側を「基端」として説明する。
【０１０６】
以下、第２実施形態の薬剤収納容器について、前記第１実施形態の薬剤収納容器との相違点を中心に説明し、同様の事項については、その説明を省略する。
【０１０７】
第２実施形態の薬剤収納容器１は、接続部４の構成が異なり、それ以外は、前記第１実施形態の薬剤収納容器１と同様である。
【０１０８】
すなわち、第２実施形態の接続部４は、穿刺針４３のハブ４３２が省略され、針体４３１が、容器本体２と同一の材料（例えば硬質プラスチック材料）で構成され、容器本体２と一体的に形成されている。
【０１０９】
本実施形態の薬剤収納容器１は、前記第１実施形態と同様にして、薬剤５を収納した薬剤収納部３を、先端側から容器本体２内に挿入し、配置した後、容器本体２と一体的に形成された針体４３１を覆うように被包部材４３３を装着し、容器本体２内を気密的に封止することにより製造することができる。
【０１１０】
このような第３実施形態の薬剤収納容器１によっても、前記第１実施形態の薬剤収納容器１と同様の作用・効果が得られる。
【０１１１】
特に、第２実施形態の薬剤収納容器１によれば、容器本体２と針体４３１とを一体的に形成するので、容器本体２とハブ４３２とを融着する工程が不要となり、製造工程を大幅に簡略化することができる。
【０１１２】
＜第３実施形態＞
次に、本発明の薬剤収納容器の第３実施形態について説明する。
【０１１３】
図１０は、本発明の薬剤収納容器の第３実施形態の縦断面図である。
なお、以下では、便宜上、図１０中の上側を「先端」、下側を「基端」として説明する。
【０１１４】
以下、第３実施形態の薬剤収納容器について、前記第１実施形態の薬剤収納容器との相違点を中心に説明し、同様の事項については、その説明を省略する。
【０１１５】
第３実施形態の薬剤収納容器１は、接続部４の構成が異なり、それ以外は、前記第１実施形態の薬剤収納容器１と同様である。
【０１１６】
すなわち、第３実施形態の接続部４は、穿刺針４３に代えて、容器本体２の先端側開口２１を塞ぐように設けられた弁体４４を備えている。
【０１１７】
この弁体４４は、円盤状の頭部４４１と、頭部４４１の基端側に、この頭部４４１と一体的に形成された胴部４４２とを有し、その全体が弾性材料により構成されている。
【０１１８】
頭部４４１には、必要時に開く開閉口４４０が形成されている。この開閉口４４０は、頭部４４１の中央部に、頭部４４１を貫通して形成された一文字状のスリット（切込み）で構成されている。
【０１１９】
開閉口４４０は、弁体４４が自然状態（例えばシリンジ１０の口部１００等により押圧されていない状態）にあるときは、弁体４４自体の弾性により閉塞されており、一方、例えばシリンジ１０の口部１００等により軸方向に押圧されたとき、頭部４４１およびその近傍が変形することにより開くようになっている。
【０１２０】
なお、開閉口４４０は、図示の構成に限られるものではなく、例えば、一方の面にのみ到達するスリットと、他方の面にのみ到達するスリットとが形成され、かつ、これらが内部において部分的に交差している構成のものであってもよい。
【０１２１】
弁体４４の胴部（筒状部）４４２の外周面には、軸方向に沿って複数のリング状の凹部４４３が形成されており、この凹部４４３において弁体４４の胴部４４２は薄肉となっている。これにより、弁体４４は、その全体が変形し易くなっており、開閉口４４０をより確実に開かせることができる。
【０１２２】
また、弁体４４の頂面は平滑な面とされている。これにより、消毒剤を浸した綿球等によって、頂面に付着した汚れを容易に拭き取ることができ、薬剤収納容器１を衛生的に維持、管理することが可能となる。
【０１２３】
弁体４４の構成材料としては、前記ガスケット３２で挙げた材料と同様の弾性材料を用いることができる。
【０１２４】
この弁体４４は、その基端部を縮径部２３と固定部４１との間に形成された間隙に挿入した状態で、例えば、融着（熱融着、高周波融着、超音波融着）、接着剤による接着等により、容器本体２に対して固定されている。
【０１２５】
また、連結部材４２の先端側の外周面には、ロック付シリンジのロック部が螺合し得るネジ溝（またはネジ山）４２１が形成されている。これにより、シリンジを確実に接続部４に接続することができ、空間２０内への液体の注入や吸引の操作を確実に行うことができる。
【０１２６】
なお、この第３実施形態の薬剤収納容器１に、導液具の口部を接続する際には、導液具の口部から封止栓（または封止膜）を取り除いた状態で、その接続操作が行われる。
【０１２７】
このような第３実施形態の薬剤収納容器１によっても、前記第１実施形態の薬剤収納容器１と同様の作用・効果が得られる。
【０１２８】
なお、本実施形態の薬剤収納容器１には、ロック付（先端形状がロック形状の）シリンジに限らず、先端形状がスリップ形状のシリンジも接続可能とすることができる。
【０１２９】
また、第３実施形態の薬剤収納容器１も、前記第１実施形態の薬剤収納容器１と同様にして製造することができる。
【０１３０】
＜第４実施形態＞
次に、本発明の薬剤収納容器の第４実施形態について説明する。
【０１３１】
図１１は、本発明の薬剤収納容器の第３実施形態の縦断面図である。
なお、以下では、便宜上、図１１中の上側を「先端」、下側を「基端」として説明する。
【０１３２】
以下、第４実施形態の薬剤収納容器について、前記第１実施形態の薬剤収納容器との相違点を中心に説明し、同様の事項については、その説明を省略する。
【０１３３】
第４実施形態の薬剤収納容器１は、薬剤収納部３の構成が異なり、また、キャップ状部材６が省略され、それ以外は、前記第１実施形態の薬剤収納容器１と同様である。
【０１３４】
すなわち、図１１に示すように、薬剤収納部３は、伸縮自在な部分を備える有底円筒状の部材で構成されている。具体的には、薬剤収納部３は、側壁部（円筒状部）が蛇腹状をなす有底円筒状の部材で構成され、伸縮自在となっている。
【０１３５】
そして、この薬剤収納部３の先端部が、例えば、融着（熱融着、高周波融着、超音波融着）、接着剤による接着等により、容器本体２の内周面に液密に固定されている。
【０１３６】
本実施形態では、この薬剤収納部３が容器本体２の軸方向に沿って伸縮することにより、容器本体２と薬剤収納部３とで画成される空間２０の容積が変化するよう構成されている。
【０１３７】
本実施形態においても、薬剤収納部３は、空間２０の容積が最小の状態において、そのほぼ全体が容器本体２内に収納されるよう構成され、一方、空間２０の容積の増大（薬剤収納部３の伸張）に伴って、薬剤収納部２０が容器本体２の基端側開口２２から突出するよう構成されている。
【０１３８】
第４実施形態の薬剤収納容器１も、前記第１実施形態の薬剤収納容器１と同様にして製造することができる。
【０１３９】
このような第４実施形態の薬剤収納容器１によっても、前記第１実施形態の薬剤収納容器１と同様の作用・効果が得られる。
【０１４０】
特に、第４実施形態の薬剤収納容器１によれば、より簡単（単純）な構成で、前記第１実施形態と同様の作用・効果を得ることができるという利点がある。
【０１４１】
以上、本発明の薬剤収納容器および薬剤収納容器の製造方法を図示の実施形態に基づいて説明したが、本発明は、これに限定されるものではなく、各構成は、同様の機能を発揮し得る任意のものと置換することができ、あるいは、任意の構成のものを付加することができる。
【０１４２】
例えば、本発明では、前記第１〜第４実施形態のうちの任意の２以上の構成を組み合わせることもできる。
【実施例】
【０１４３】
次に、本発明の具体的実施例について説明する。
（実施例１）
まず、図１に示す薬剤収納部（内容量：２５ｍＬ）を用意した。
この薬剤収納部内に、１０ｗｔ％のマンニトール溶液を１５ｍＬ収納した。
【０１４４】
次に、棚板面積７５ｃｍ２の凍結乾燥機に設置し、棚板温度を−４０℃に保持して凍結乾燥を行った。このとき、凍結乾燥開始後、それぞれ１、３、５時間経過したときの薬剤収納容器内に収納したマンニトール溶液の温度を測定した。
【０１４５】
次に、凍結乾燥終了後、薬剤収納部を容器本体（内容量：５０ｍＬ）内に配置し、接続部、キャップ状部材、第１のシート材および第２のシート材を装着して、図１に示す薬剤収納容器を得た。
【０１４６】
次に、第１のシート材および第２のシート材をそれぞれ取り外し、生理食塩液（溶解用液）４０ｍＬを収納したシリンジ（容量：５０ｍＬ）の口部を、接続部に接続した。
【０１４７】
次に、シリンジの押し子を口部側に移動させて、生理食塩液を薬剤収納容器内に注入した。
【０１４８】
このとき、生理食塩液の注入に連動して、空間の内部圧力が外気圧と等しくなるように薬剤収納部が基端方向に向かって移動した。
【０１４９】
次に、シリンジの押し子を３往復移動させてポンピング操作を行った。この場合にも、この押し子の往復移動に追従して、薬剤収納部が先端方向および基端方向に向かって往復移動した。
【０１５０】
次に、シリンジの押し子を口部と反対側に移動させて、薬剤収納容器内に収納された液剤（マンニトールが溶解した生理食塩液）を吸引し、シリンジの口部を接続部から離間させた。
【０１５１】
このシリンジ内に吸引された液剤を目視にて観察したところ、マンニトールが生理食塩液に均一に溶解していることが確認された。
【０１５２】
（実施例２）
まず、図１１に示す薬剤収納部（収縮時の内容量：２５ｍＬ）を用意した。
この薬剤収納部内に、１０ｗｔ％のマンニトール溶液を１５ｍＬ収納した。
【０１５３】
次に、棚板面積７５ｃｍ２の凍結乾燥機に設置し、棚板温度を−４０℃に保持して凍結乾燥を行った。このとき、凍結乾燥開始後、それぞれ１、３、５時間経過したときの薬剤収納容器内に収納したマンニトール溶液の温度を測定した。
【０１５４】
次に、凍結乾燥終了後、薬剤収納部を容器本体（内容量：５０ｍＬ）内に配置し、接続部、キャップ状部材、第１のシート材および第２のシート材を装着して、図１１に示す薬剤収納容器を得た。
【０１５５】
次に、第１のシート材および第２のシート材をそれぞれ取り外し、生理食塩液（溶解用液）４０ｍＬを収納したシリンジ（容量：５０ｍＬ）の口部を、接続部に接続した。
【０１５６】
次に、シリンジの押し子を口部側に移動させて、生理食塩液を薬剤収納容器内に注入した。
【０１５７】
このとき、生理食塩液の注入に連動して、空間の内部圧力が外気圧と等しくなるように薬剤収納部が伸張した。
【０１５８】
次に、シリンジの押し子を３往復移動させてポンピング操作を行った。この場合にも、この押し子の往復移動に追従して、薬剤収納部が伸張および収縮した。
【０１５９】
次に、シリンジの押し子を口部と反対側に移動させて、薬剤収納容器内に収納された液剤（マンニトールが溶解した生理食塩液）を吸引し、シリンジの口部を接続部から離間させた。
【０１６０】
このシリンジ内に吸引された液剤を目視にて観察したところ、マンニトールが生理食塩液に均一に溶解していることが確認された。
【０１６１】
（比較例）
容器本体（内容量：５０ｍＬ）内に、薬剤収納部に代えて、図１２に示すようなガスケットを配置した。
【０１６２】
ガスケットの位置が、容器本体とガスケットで画成される空間の内容量が２５ｍＬとなるように配置（図１２に示す状態）し、容器本体とガスケットで画成される空間内に、１０ｗｔ％のマンニトール溶液を１５ｍＬ収納した。
【０１６３】
次に、棚板面積７５ｃｍ２の凍結乾燥機に設置し、棚板温度を−４０℃に保持して凍結乾燥を行った。このとき、凍結乾燥開始後、それぞれ１、３、５時間経過したときの前記空間内に収納したマンニトール溶液の温度を測定した。
【０１６４】
ここで、表１に、各実施例および比較例において、凍結乾燥開始後、それぞれ１、３、５時間経過したとき測定されたマンニトール溶液の温度を示す。
【０１６５】
【表１】
2007215775.tif 000003
【０１６６】
表１に示すように、棚板にマンニトール溶液が近接する各実施例では、いずれも十分に冷却することが可能であった。
【０１６７】
これに対して、棚板からマンニトール溶液が離間する比較例では、５時間経過後も十分に冷却することが困難であり、マンニトール溶液を凍結乾燥することができなかった。
【図面の簡単な説明】
【０１６８】
【図１】本発明の薬剤収納容器の第１実施形態を示す縦断面図（使用前の状態を示す）である。
【図２】図１に示す薬剤収納容器から汚染防止手段を取り外した状態を示す（使用時の状態を示す）縦断面図である。
【図３】図１および図２に示す薬剤収納容器の使用方法を説明するための図（縦断面図）である。
【図４】図１および図２に示す薬剤収納容器の使用方法を説明するための図（縦断面図）である。
【図５】図１および図２に示す薬剤収納容器の使用方法を説明するための図（縦断面図）である。
【図６】図１および図２に示す薬剤収納容器の製造方法を説明するための図（縦断面図）である。
【図７】図１および図２に示す薬剤収納容器の製造方法を説明するための図（縦断面図）である。
【図８】図１および図２に示す薬剤収納容器の製造方法を説明するための図（縦断面図）である。
【図９】本発明の薬剤収納容器の第２実施形態の縦断面図である。
【図１０】本発明の薬剤収納容器の第３実施形態の縦断面図である。
【図１１】本発明の薬剤収納容器の第４実施形態の縦断面図である。
【図１２】比較例の薬剤収納容器の構成を示す縦断面図である。
【符号の説明】
【０１６９】
１            薬剤収納容器
２            容器本体
２０          空間
２１          先端側開口
２２          基端側開口
２３          縮径部
２４          凸部
３            薬剤収納部
３１          収納部本体
３１１        開口
３１２        凸部
３２          ガスケット
３２１        溝
３２２        凸部
４            接続部
４１          固定部
４２          連結部材
４２１        ネジ溝（またはネジ山）
４３          穿刺針
４３１        針体
４３２        ハブ
４３３        被包部材
４４          弁体
４４０        開閉口
４４１        頭部
４４２        胴部
４４３        凹部
５            薬剤
５０          液状組成物
６            キャップ状部材
６１          溝
６２          開口部
７            汚染防止手段
７１          第１のシート材
７２          第２のシート材
１０          シリンジ
１００        口部
１１０        開口部
１２０        封止栓
１０１        シリンジ外筒
１０２        ガスケット
１０３        押し子
１０４        溶解用液
１０５        液剤
９００        ステージ
【図１】
2007215775.tif 000004
【図２】
2007215775.tif 000005
【図３】
2007215775.tif 000006
【図４】
2007215775.tif 000007
【図５】
2007215775.tif 000008
【図６】
2007215775.tif 000009
【図７】
2007215775.tif 000010
【図８】
2007215775.tif 000011
【図９】
2007215775.tif 000012
【図１０】
2007215775.tif 000013
【図１１】
2007215775.tif 000014
【図１２】
2007215775.tif 000015